(57)【要約】【課題】  自動的に供給する洗濯処理液が熱による影響を抑止可能な洗濯機を提供する。【解決手段】  筐体と、筐体内部に設けられた水槽と、水槽内に洗濯処理液を供給する洗濯処理液供給部と、を有し、洗濯処理液供給部は、第１洗濯処理液を保持する第１タンクと、第２洗濯処理液を保持する第２タンクと、第１タンクと第２タンクを収納するタンクトレイと、第１タンク内の第１の洗濯処理液を投入する第１ノズルと、第２タンク内の第２の洗濯処理液を投入する第２ノズルと、を有し、第１洗濯処理液又は第２の洗濯処理液を自動的に前記水槽内に投入する自動投入部と、を有し、第１ノズルと第２ノズルは、タンクトレイの突出して接続され、自動投入部は、水をタンクトレイ内に供給し、供給された水は、第１ノズルと第２ノズルに向けて供給される構成とする。【選択図】  図８
2020054551.tif 000002
【特許請求の範囲】
【請求項１】
筐体と、
前記筐体内部に設けられた水槽と、
前記水槽内に洗濯処理液を供給する洗濯処理液供給部と、を有し、
前記洗濯処理液供給部は、
第１洗濯処理液を保持する第１タンクと、
第２洗濯処理液を保持する第２タンクと、
前記第１タンクと前記第２タンクを収納するタンクトレイと、
前記第１タンク内の前記第１の洗濯処理液を投入する第１ノズルと、前記第２タンク内の前記第２の洗濯処理液を投入する第２ノズルと、を有し、第１洗濯処理液又は前記第２の洗濯処理液を自動的に前記水槽内に投入する自動投入部と、を有し、
前記第１ノズルと前記第２ノズルは、前記タンクトレイの突出して接続され、
前記自動投入部は、水を前記タンクトレイ内に供給し、
供給された前記水は、前記第１ノズルと前記第２ノズルに向けて供給される、ことを特徴とする洗濯機。
【請求項２】
請求項１記載の洗濯機であって、
前記タンクトレイは、前記自動投入部から前記タンクトレイ内に水を供給する供給口を有する、洗濯機。
【請求項３】
請求項２記載の洗濯機であって、
前記タンクトレイ内において前記供給口から供給された水が、前記第１ノズルと前記第２ノズルに向けて流れる第１の水の流れと、前記タンクトレイの底面に流れる第２の水の流れを有する、洗濯機。
【請求項４】
請求項３記載の洗濯機であって、
前記タンクトレイは、前記第１の水の流れと前記第２の水の流れをつくるための壁を有する、洗濯機。
【請求項５】
請求項１記載の洗濯機であって、
前記自動投入部は、前記タンクトレイの外側底部に水を供給する水路を有する、洗濯機。
【請求項６】
筐体(1)と、
前記筐体内部に設けられて外槽と、
前記外槽内に設けられた水槽と、
前記外槽上側に設けられ、水槽内に洗濯処理液を供給する洗濯処理液供給部と、を有し、
前記洗濯処理液供給部は、
第１洗濯処理液を保持する第１タンクと、
第２洗濯処理液を保持する第２タンクと、
前記第１タンクと前記第２タンクを収納するタンクトレイと、
第１洗濯処理液又は前記第２の洗濯処理液を自動的に前記水槽内に投入する自動投入部と、を有し、
前記外槽と前記タンクトレイ間に遮熱可能な遮熱部を有する、洗濯機。
【請求項７】
請求項１記載の洗濯機であって、
前記筐体を補強するステーを有し、
前記遮熱部は、前記ステーと遮熱板とを有する、洗濯機。
【請求項８】
タンクトレイに収納され、筐体上面から脱着可能なタンクであって、
前記タンクトレイに対して脱着可能な取っ手と、
前記洗濯処理液を充填するための蓋部と、
前記洗濯処理液が充填される液格納部と、
前記タンクトレイから脱しても自立可能な脚部と、
を有することを特徴とするタンク。
【請求項９】
請求項８記載のタンクであって、
前記脚部は複数有し、
複数の前記脚部の底は、すべて地面に対して略平行に設けた、タンク。
【請求項１０】
筐体と、
前記筐体内部に設けられた水槽と、
前記水槽内に洗濯処理液を供給する洗濯処理液供給部と、を有し、
前記洗濯処理液供給部は、請求項８又は請求項９記載のタンクを有する、洗濯機。
【発明の詳細な説明】
【技術分野】
【０００１】
本発明は、衣類等の洗濯を行う洗濯機に関する。
【背景技術】
【０００２】
従来、それぞれのタンクに供給された洗濯処理液である洗剤と柔軟剤とを、洗濯物の量に応じて、適量を自動的に供給する洗濯機を提供することが特許文献１に記載されている。
【先行技術文献】
【特許文献】
【０００３】
【特許文献１】特開2018-11618号公報
【発明の概要】
【発明が解決しようとする課題】
【０００４】
特許文献１のような自動的に洗剤や柔軟剤などの洗濯処理液を供給する場合、タンク内に一定量の洗濯処理液を常に格納しておく必要がある。その場合、洗濯中に外槽など下方からの熱により、タンク内に格納された洗濯処理液が溶けたり、変色したりするなど、もともとの洗浄力の効果が低減する恐れがある。
【０００５】
本発明の目的は、自動的に供給する洗濯処理液が熱による影響を抑止可能な洗濯機を提供することである。
【課題を解決するための手段】
【０００６】
上記目的を達成するため、本発明の洗濯機は、筐体と、筐体内部に設けられた水槽と、水槽内に洗濯処理液を供給する洗濯処理液供給部と、を有し、洗濯処理液供給部は、第１洗濯処理液を保持する第１タンクと、第２洗濯処理液を保持する第２タンクと、第１タンクと第２タンクを収納するタンクトレイと、第１タンク内の第１の洗濯処理液を投入する第１ノズルと、第２タンク内の第２の洗濯処理液を投入する第２ノズルと、を有し、第１洗濯処理液又は第２の洗濯処理液を自動的に前記水槽内に投入する自動投入部と、を有し、第１ノズルと第２ノズルは、タンクトレイの突出して接続され、自動投入部は、水をタンクトレイ内に供給し、供給された水は、第１ノズルと第２ノズルに向けて供給される構成とする。
【０００７】
また、筐体と、筐体内部に設けられて外槽と、外槽内に設けられた水槽と、外槽上側に設けられ、水槽内に洗濯処理液を供給する洗濯処理液供給部と、を有し、洗濯処理液供給部は、第１洗濯処理液を保持する第１タンクと、第２洗濯処理液を保持する第２タンクと、第１タンクと第２タンクを収納するタンクトレイと、第１洗濯処理液又は第２の洗濯処理液を自動的に前記水槽内に投入する自動投入部と、を有し、外槽とタンクトレイ間に遮熱可能な遮熱部を有する構成とする。
【発明の効果】
【０００８】
本発明によれば、自動的に供給する洗濯処理液が熱による影響を抑止可能な洗濯機を提供出来る。
【図面の簡単な説明】
【０００９】
【図１】本発明に係る洗濯機の斜視図である。
【図２】本発明に係る洗濯機内の詳細構成の一例を示した図である。
【図３】本発明の洗濯機の洗濯処理液供給部の配置構成を示した図である。
【図４】本発明の洗剤及び柔軟剤を貯蔵するタンクトレイの一例を示した図である。
【図５】図４の縦断面構造の一例を示す図である。
【図６】本発明の洗濯タンクの構造の一例を示した図である。
【図７】本発明の柔軟剤タンクの構造の一例を示した図である。
【図８】本発明の洗濯機の洗濯処理液供給部の斜視図である。
【図９】図８のタンクトレイの縦断面構造の一例を示す図である。
【図１０】図８の自動投入部からの水の流れを説明する図である。
【図１１】本発明に係る洗濯機の縦断面の概略を示す図である。
【図１２】本発明に係る洗濯機の遮熱部の配置構造の一例を示す図である。
【図１３】本発明の遮熱板の一構成例を示す図である。
【発明を実施するための形態】
【００１０】
以下、本発明の実施形態を図面により説明する。
【００１１】
図１は、本発明に係る洗濯機の斜視図である。図２は、洗濯機内の詳細構成の一例を示した図であり、図３は、外枠上面の左側に、洗剤や柔軟剤などの洗濯処理液を供給する洗濯処理液供給部の構成例が示された図である。なお、以下の説明において、上下左右前後の方向は図１中に示す上下左右前後の方向を基準とする。
【００１２】
ベース5の上部には鋼板と樹脂成形品で組合わされて構成された外枠2が載せられて洗濯機の筐体1となしている。外枠2の正面には洗濯物を出し入れするドアである蓋体3と前面カバー、及び背面には背面カバーが設けられている。
【００１３】
筐体1内部には外槽20を設け、その外槽20内には水槽6を設け、筐体1の上面一方側（図では左側）には水槽6内に洗濯処理液を供給する洗濯処理液供給部4を設けている。
【００１４】
なお、本実施例では、水槽6の内部には洗濯物を入れて洗濯、脱水を行なう円筒状の回転する回転ドラムが設けられたドラム型の洗濯機の例で説明する。
【００１５】
洗濯機の筐体1の背面近傍の上面には、給水栓が設けられており、水道管を接続して洗濯機本体である筐体1に対して給水を行う。その構成は従来からある洗濯機ないし洗濯乾燥機と同様なので、詳細な説明は省略する。
【００１６】
洗濯処理液供給部4は、図３に記載の通り、洗剤などの洗濯処理液を予め保持しておくタンクトレイ12と、そのタンクトレイ12から洗濯処理液を自動的に所定の量を水槽6内に投入する自動投入部13と、自動とは別に、手動で洗濯処理液を投入するための手動投入部9と、が設けられている。
【００１７】
タンクトレイ12は、一例として、第１洗濯処理液である洗剤を予め保持しておく第１タンクである洗剤タンク7と、第２洗濯処理液である柔軟剤を予め保持しておく第２タンクである柔軟剤タンク8と、が設置できるものになっている。タンクトレイ12にはタンク蓋が設けられ、タンク蓋を開いた開口から洗剤タンク7と柔軟剤タンク8にとを上方に引き抜くことが出来、また再度セットすることができる。なお以下、柔軟剤タンク8と洗剤タンク7との共通の構成を説明する際には、単に「タンク」と称する場合がある。そのタンクの構造の詳細は別途説明する。
【００１８】
また手動投入部9は、手動で水槽6内に投入される洗剤が投入される洗剤投入部10と、柔軟剤が投入される柔軟剤投入部11と、が設けられている。投入された洗剤、柔軟剤は洗濯工程の所定の時点で給水管を経由して給水され、水とともに洗剤供給管を経由して、水槽6内部に投入される。
【００１９】
本実施例においては、洗濯処理液投入部4を洗濯機筐体1の上面に設け、蓋を開けて、タンクを上方に着脱を行うためにユーザが屈む必要はなく、使い易い洗濯機を提供することができる。また、手動投入部9と自動投入部13は両方とも洗濯機の筐体1の上面の左側に配置されることにより、まとまった位置に配置されるため、ユーザの使い勝手がより向上する。また、自動投入部13、タンクトレイ12を水槽6よりも下側に配置した場合、自動投入部13と水槽6を繋ぐ配管から自動投入部13に水が逆流してしまうおそれがあるが、本実施例では、自動投入部13及びタンクトレイ12を水槽6よりも上側に配置しているため、このような逆流のおそれはなく、信頼性の高い洗濯機を提供することが出来る。また、タンクトレイ12内のタンクを筐体1の上面から上下方向に抜き差しすることが出来るため、使い勝手が向上する。
【００２０】
次に、図４〜図１０を用いて、タンクトレイ12内に保持するタンクの構成について説明する。
【００２１】
図４は、タンクトレイ12内に、第１タンクである洗剤タンク7と、第２タンクである柔軟剤タンク8とが保持された図であり、図５は、図４のA-A断面が記された図である。
【００２２】
タンクトレイ12の下方には、洗剤タンク7と、柔軟剤タンク8とが安定に保持されるように、上側に凸状の位置決め凸部14が設けられている。この位置決め凸部14があることで、洗剤タンク7と柔軟剤タンク8のそれぞれがタンクトレイ12内に、どの位置に設置すれば良いかが明確になると共に、タンクトレイ12内でずれることなく安定的に保持することができる。
【００２３】
また、タンクトレイ12の下側には第１接続部22と第２接続部23と設けられ、これら２つの接続部は、水槽6内に洗濯処理液が投入される第１ノズル15と第２ノズル16と接続されている。その第１ノズル15は、そのまま洗剤トレイ7の下側端部に設けた第１供給口17に接続され、第２ノズル16は、柔軟剤トレイ8の下側端部に設けた第２供給口18に接続されており、各タンクに保持された洗剤や柔軟剤がそれぞれの供給口からノズルを介して水槽6内に投入される。
【００２４】
洗剤タンク7と柔軟剤タンク8の構成を図６、図７を用いて説明する。
【００２５】
洗剤タンク7と柔軟剤タンク8には、筐体1の上面から上下方向に抜き差しすることが容易に出来るために、タンク把手である取っ手19が設けれている。取っ手19は、タンクがタンクトレイ12に格納されているときは、タンク側面に倒して収納されている。収納されている際、取っ手19は、隣り合う側とは反対側に収納する、つまり洗剤タンク7の取っ手19は柔軟剤タンク8が配置された側とは反対側の側面に収納され、柔軟剤タンク8の取っ手19は洗剤タンク7が配置された側とは反対側の側面に収納されている。このようにすることで、各タンクの蓋を開ける際に隣のタンクの取っ手が邪魔になることがなく、スムーズに蓋を開いて、タンク内に洗剤や柔軟剤を補充することが出来る。
【００２６】
なお、洗剤タンク7には、洗濯処理液である洗剤を充填するための蓋部である蓋50を備え、蓋50を上方後側に開けて、洗剤を充填出来るものである。柔軟剤タンク8も、同様に、蓋51が設けてあり、柔軟剤を充填出来るものである。
【００２７】
また、洗剤タンク7や柔軟剤タンク8への洗剤、柔軟剤などの洗濯処理液の充填は、タンクトレイ12に収納された状態でも充填可能だが、充填する際に、タンクトレイ12内や他のタンク内に、洗濯処理液がこぼれてしまう可能性もある。そのため本発明では、タンクに、図６、図７に記載の通り、洗濯処理液が充填される液格納部43、44と、タンクトレイ12から脱しても自立可能な脚部45、46を設ける構成とする。なお、脚部45は、図６では４つの脚部を設けているが、自立可能であれば、その数はその限りではない（図７も同様）。そして、脚部45、46の底は、すべて地面に対して略平行に設けたことで、タンクトレイ12から脱して、机上や地上にタンクを立てた状態でも、より安定して、自立可能であり、タンクトレイ12や他のタンクと離れた場所にて、洗濯処理液を充填可能となる効果がある。
【００２８】
また、２つのタンクが、洗剤タンクなのか、柔軟剤タンクなのか、見た目で不明になることがある。そのためには、タンクの蓋に「洗剤」、「柔軟剤」と表記したり、又はタンクの色を変えたりすることで、見た目で区別がつき、間違ったタンクに洗濯処理液を充填するようなことはなくなる。
【００２９】
図４のように、２つのタンクを設けて、洗剤や柔軟剤などの異なる洗濯処理液を使って洗濯する場合もあるが、洗濯物や使用者の好みなどによっては、柔軟剤を用いずに洗剤のみを使う場合もある。そのように１つの洗濯処理液を用いて洗濯する場合、大きなタンクを１つ用いることも可能である。
【００３０】
２つの洗濯処理液を用いずに１つの洗濯処理液、例えば洗剤のみを用いる場合、何度も補充しないように、多めの量を保持する、つまり図６の洗剤タンク7より体積が大きい第３タンクである洗剤タンクを設ける。その際、洗濯処理液の種類、タンクの数によって、タンクトレイ12を変えるのは、コストも高くなり、使用者にとって手間になる。従って、タンクトレイ12は変えずに、タンクが２つの場合でも、１つの場合でも使えるようにする。
【００３１】
図８は、洗濯処理液供給部4の自動投入部13とタンクトレイ12を拡大した斜視図である。図９は、図８のＡ−Ａ断面構造を示す図である。また図１０は、自動投入部13からの水の流れを示す図である。この図８〜図１０を用いて、水の流れについて説明する。
【００３２】
図８は、洗剤タンク7と柔軟剤タンク8を取り外した場合のタンクトレイ12内部が示されている。自動投入部13はポンプを用いて、給水された水の循環制御する、及び洗濯処理液の投入する液量を制御するものである。
【００３３】
自動投入部13からの水は、タンクトレイ12の自動投入部13側に設けた供給口40からタンクトレイ12内に供給される。供給された水はタンクトレイ12の底部から突出された第１ノズル15及び第２ノズル16の方向へ供給される第１の水の流れ30と、洗剤タンク7と柔軟剤タンク8の底部、具体的には脚部の方向へ供給される第２の水の流れ31と、がある。
【００３４】
第１の水の流れ30と第２の水の流れ31は、供給口40から供給された水が、タンクトレイ12内に設けた壁であるリブ33によって、分離され、それぞれの方向に流れるものである。具体的には、供給口40の出口近傍は、底部をノズル方向に傾斜させることで、より、ノズルの方向へ水の流れが出来る。
【００３５】
洗剤などの洗濯処理液を自動で投入する場合、タンクの中に、ある程度の時間、洗濯処理液が貯蓄された状態になる。タンクが筐体上部に配置されるため、洗濯中に、外槽など下方からの熱がタンクへ伝わり、貯蓄されている洗濯処理液が溶けたり、変色したりするなど、洗浄力の効果が低減する恐れがある。それを抑止するために、上述したように、水の流れをつくることで、タンク及びタンク内の洗濯処理液が冷却され、変色などを抑止することができる。
【００３６】
さらに、本発明では、手動投入部9へ給水するために、自動投入部13から水を流す水路41を設ける。この水路41は、タンクトレイ12の外側底部にタンクトレイ12に接触して設け、第３の水の流れ32を形成する。これにより更に、タンクが冷却され、洗濯処理液の熱による変色を抑止することが出来る。
【００３７】
次に、この熱による洗濯処理液への影響を抑止する他の構成について、図１１を用いて説明する。
【００３８】
図１１に記載の通り、タンクトレイ12と外槽20の間に、熱を遮蔽する遮熱板36を備える。具体的には、図１２、図１３を用いて説明する。
【００３９】
図１２は、洗濯機の正面からタンクトレイ12を見た図（正視面）と、洗濯機の底面からタンクトレイ12を見た図（底視面）である。
【００４０】
タンクトレイ12の底には、遮熱部として、外槽20側からの熱を遮蔽する遮熱板36と、筐体1の補強材として左右方向に設けられたステー35と、を備え、その遮蔽板36とステー36にて外槽20側からの熱を遮蔽し、洗濯処理液への熱の影響を抑止している。
【００４１】
遮熱板36による遮熱範囲を第２遮熱領域36b、ステー35による遮熱範囲を第１遮熱領域36aとしている。この２つの遮熱領域により、直接タンクトレイ12に熱があたることを避け、タンク内の洗剤などの洗濯処理液への熱の影響を低減している。
【００４２】
以上、図８などに記載の水の流れと、図１１などに記載の遮熱部と、両方用いてることで、更に洗濯処理液の熱の影響を抑止することが出来る。
【符号の説明】
【００４３】
1  筐体
2  外枠
3  蓋体
4  洗濯処理液供給部
5  ベース
6  水槽
7  洗剤タンク
8  柔軟剤タンク
9  手動投入部
10  洗剤投入部
11  柔軟剤投入部
12  タンクトレイ
13  自動投入部
14  位置決め凸部
15  第１ノズル
16  第２ノズル
17  第１供給口
18  第２供給口
19  取っ手
20  外槽
22  第１接続部
23  第２接続部
30  第１の水の流れ
31  第２の水の流れ
32  第３の水の流れ
33  リブ
34  乾燥ユニット
35  ステー
36  遮熱板
36a  第１遮熱領域
36b  第２遮熱領域
40  供給口
41  水路
43  液格納部
44  液格納部
45  脚部
46  脚部
50  蓋
51  蓋
【図１】
2020054551.tif 000003
【図２】
2020054551.tif 000004
【図３】
2020054551.tif 000005
【図４】
2020054551.tif 000006
【図５】
2020054551.tif 000007
【図６】
2020054551.tif 000008
【図７】
2020054551.tif 000009
【図８】
2020054551.tif 000010
【図９】
2020054551.tif 000011
【図１０】
2020054551.tif 000012
【図１１】
2020054551.tif 000013
【図１２】
2020054551.tif 000014
【図１３】
2020054551.tif 000015